【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
ホスト材料とゲスト材料とが配合された発光素子用組成物の製造方法であって、
ホスト材料を準備するホスト材料準備工程と、
環内に、炭素原子と、ホウ素原子、ケイ素原子、窒素原子、リン原子、酸素原子、硫黄原子及びセレン原子からなる群より選ばれる少なくとも１種とを含む複素環基を有する化合物を含むゲスト材料を準備するゲスト材料準備工程と、
前記ホスト材料と前記ゲスト材料とを、前記ホスト材料に含まれるケイ素原子及び前記ゲスト材料に含まれるケイ素原子の総量が０質量ｐｐｍを超え２８質量ｐｐｍ以下となる配合比で混合して、発光素子用組成物を得る製造工程と、
を含み、
前記ホスト材料準備工程は、
ケイ素原子の含有量が２４質量ｐｐｍ以上のホスト材料を準備する工程（Ａ−１）と、
前記工程（Ａ−１）で準備した前記ホスト材料の少なくとも一部を精製して、ケイ素原子の含有量が２３質量ｐｐｍ以下のホスト材料を得る工程（Ａ−２）と、
を含む、発光素子用組成物の製造方法。
【請求項２】
ホスト材料とゲスト材料とが配合された発光素子用組成物の製造方法であって、
ホスト材料を準備するホスト材料準備工程と、
前記ホスト材料に対するゲスト材料の配合比を決定する決定工程と、
環内に、炭素原子と、ホウ素原子、ケイ素原子、窒素原子、リン原子、酸素原子、硫黄原子及びセレン原子からなる群より選ばれる少なくとも１種とを含む複素環基を有する化合物を含み、前記配合比で前記ホスト材料と混合したとき前記ホスト材料及び前記ゲスト材料の総量に対する前記ホスト材料に含まれるケイ素原子及び前記ゲスト材料に含まれるケイ素原子の総量が０質量ｐｐｍを超え２８質量ｐｐｍ以下となる、ゲスト材料を準備するゲスト材料準備工程と、
前記ホスト材料と前記ゲスト材料とを前記配合比で混合して、発光素子用組成物を得る製造工程と、
を含み、
前記ホスト材料準備工程は、
ケイ素原子の含有量が２４質量ｐｐｍ以上のホスト材料を準備する工程（Ａ−１）と、
前記工程（Ａ−１）で準備した前記ホスト材料の少なくとも一部を精製して、ケイ素原子の含有量が２３質量ｐｐｍ以下のホスト材料を得る工程（Ａ−２）と、
を含む、発光素子用組成物の製造方法。
【請求項３】
ホスト材料とゲスト材料とが配合された発光素子用組成物の製造方法であって、
環内に、炭素原子と、ホウ素原子、ケイ素原子、窒素原子、リン原子、酸素原子、硫黄原子及びセレン原子からなる群より選ばれる少なくとも１種とを含む複素環基を有する化合物を含むゲスト材料を準備するゲスト材料準備工程と、
前記ゲスト材料に対するホスト材料の配合比を決定する決定工程と、
前記配合比で前記ゲスト材料と混合したとき前記ホスト材料及び前記ゲスト材料の総量に対する前記ホスト材料に含まれるケイ素原子及び前記ゲスト材料に含まれるケイ素原子の総量が０質量ｐｐｍを超え２８質量ｐｐｍ以下となる、ホスト材料を準備するホスト材料準備工程と、
前記ゲスト材料と前記ホスト材料とを前記配合比で混合して、発光素子用組成物を得る製造工程と、
を含み、
前記ホスト材料準備工程は、
ケイ素原子の含有量が２４質量ｐｐｍ以上のホスト材料を準備する工程（Ａ−１）と、
前記工程（Ａ−１）で準備した前記ホスト材料の少なくとも一部を精製して、ケイ素原子の含有量が２３質量ｐｐｍ以下のホスト材料を得る工程（Ａ−２）と、
を含む、発光素子用組成物の製造方法。
【請求項４】
ホスト材料とゲスト材料とが配合された発光素子用組成物の製造方法であって、
ホスト材料を準備するホスト材料準備工程と、
ゲスト材料として環内に、炭素原子と、ホウ素原子、ケイ素原子、窒素原子、リン原子、酸素原子、硫黄原子及びセレン原子からなる群より選ばれる少なくとも１種とを含む複素環基を有する化合物を準備するゲスト材料準備工程と、
前記ホスト材料と前記ゲスト材料との配合比を決定する決定工程と、
前記配合比で前記ホスト材料と前記ゲスト材料とを混合したとき、前記ホスト材料及び前記ゲスト材料の総量に対する前記ホスト材料に含まれるケイ素原子及び前記ゲスト材料に含まれるケイ素原子の総量が０質量ｐｐｍを超え２８質量ｐｐｍ以下となるように、前記ホスト材料及び前記複素環基を有する化合物の少なくとも一部を精製する精製工程と、
前記ホスト材料と前記複素環基を有する化合物を含む前記ゲスト材料とを前記配合比で混合して、発光素子用組成物を得る製造工程と、
を含み、
前記ホスト材料準備工程は、
ケイ素原子の含有量が２４質量ｐｐｍ以上のホスト材料を準備する工程（Ａ−１）と、
前記工程（Ａ−１）で準備した前記ホスト材料の少なくとも一部を精製して、ケイ素原子の含有量が２３質量ｐｐｍ以下のホスト材料を得る工程（Ａ−２）と、
を含む、発光素子用組成物の製造方法。
【請求項５】
前記工程（Ａ−２）が、前記工程（Ａ−１）で準備した前記ホスト材料の少なくとも一部を精製して、ケイ素原子の含有量が２０質量ｐｐｍ以下のホスト材料を得る工程である、請求項１〜４のいずれか一項に記載の発光素子用組成物の製造方法。
【請求項６】
前記工程（Ａ−２）が、前記工程（Ａ−１）で準備した前記ホスト材料の少なくとも一部を精製して、ケイ素原子の含有量が０．１質量ｐｐｍ以上２０質量ｐｐｍ以下のホスト材料を得る工程である、請求項１〜５のいずれか一項に記載の発光素子用組成物の製造方法。
【請求項７】
前記工程（Ａ−２）が、前記工程（Ａ−１）で準備した前記ホスト材料の少なくとも一部を精製して、ケイ素原子の含有量が０．５質量ｐｐｍ以上２０質量ｐｐｍ以下のホスト材料を得る工程である、請求項１〜６のいずれか一項に記載の発光素子用組成物の製造方法。
【請求項８】
前記ホスト材料準備工程が、前記工程（Ａ−２）で得られた前記ホスト材料に含まれるケイ素原子の含有量を測定する測定工程を更に含む、請求項１〜７のいずれか一項に記載の発光素子用組成物の製造方法。
【請求項９】
前記ホスト材料準備工程が、前記工程（Ａ−１）で準備した前記ホスト材料に含まれるケイ素原子の含有量を測定する測定工程を更に含む、請求項１〜８のいずれか一項に記載の発光素子用組成物の製造方法。
【請求項１０】
前記複素環基を有する化合物が、低分子化合物である、請求項１〜９のいずれか一項に記載の発光素子用組成物の製造方法。
【請求項１１】
前記複素環基を有する化合物が、式（ＦＢ）で表される化合物である、請求項１０に記載の発光素子用組成物の製造方法。
【化１】
2020109823.tif 000001
［式中、
ｎ１Ｂは、０以上の整数を表す。
Ａｒ１Ｂは、環内に、炭素原子と、ホウ素原子、ケイ素原子、窒素原子、リン原子、酸素原子、硫黄原子及びセレン原子からなる群より選ばれる少なくとも１種とを含む複素環を有する化合物から、前記複素環を構成する原子に直接結合する水素原子ｎ１Ｂ個以上を除いた基を表し、この基は置換基を有していてもよい。該置換基が複数存在する場合、それらは同一でも異なっていてもよく、互いに結合して、それぞれが結合する原子とともに環を形成していてもよい。
Ｒ１Ｂは、ハロゲン原子、アルキル基、シクロアルキル基、アルコキシ基、シクロアルコキシ基、アリールオキシ基、アリール基、１価の複素環基又は置換アミノ基を表し、これらの基は置換基を有していてもよい。該置換基が複数存在する場合、それらは同一でも異なっていてもよく、互いに結合して、それぞれが結合する原子とともに環を形成していてもよい。Ｒ１Ｂが複数存在する場合、それらは同一でも異なっていてもよく、互いに結合して、それぞれが結合する原子とともに環を形成していてもよい。］
【請求項１２】
前記Ｒ１Ｂが、置換基を有していてもよいアリール基又は置換基を有していてもよい１価の複素環基である、請求項１１に記載の発光素子用組成物の製造方法。
【請求項１３】
前記複素環基が、環内に、炭素原子と、窒素原子、酸素原子及び硫黄原子からなる群より選ばれる少なくとも１種とを含む複素環基である、請求項１〜１２のいずれか一項に記載の発光素子用組成物の製造方法。
【請求項１４】
前記複素環基が、環内に、炭素原子と、窒素原子とを含む複素環基である、請求項１〜１３のいずれか一項に記載の発光素子用組成物の製造方法。
【請求項１５】
前記複素環基が、単環式又は２環式〜５環式の複素環式化合物から、環を構成する原子に直接結合する水素原子１個以上を除いた複素環基である、請求項１〜１４のいずれか一項に記載の発光素子用組成物の製造方法。
【請求項１６】
前記複素環基が、ピリジン、ジアザベンゼン、トリアジン、カルバゾール、ジベンゾフラン、ジベンゾチオフェン、ベンゾカルバゾール、ジベンゾカルバゾール、インドロカルバゾール又はインデノカルバゾールから、環を構成する原子に直接結合する水素原子１個以上を除いた複素環基である、請求項１〜１５のいずれか一項に記載の発光素子用組成物の製造方法。
【請求項１７】
請求項１〜１６のいずれか一項に記載の製造方法により製造された発光素子用組成物と、正孔輸送材料、正孔注入材料、電子輸送材料、電子注入材料、発光材料、酸化防止剤及び溶媒からなる群より選ばれる少なくとも１種と、を混合する工程を含む、発光素子用組成物の製造方法。
【請求項１８】
陽極と、陰極と、前記陽極及び前記陰極の間に設けられた有機層とを含む、発光素子の製造方法であって、
請求項１〜１７のいずれか一項に記載の製造方法により製造された発光素子用組成物により、前記有機層を形成させる工程を含む、発光素子の製造方法。